(57)【特許請求の範囲】
【請求項１】
現金を搬送する搬送手段と、
内方端が前記搬送手段の一部に臨む位置に設けられ当該搬送手段の一部を開口端を介して外部に開放する収納室と、
前記収納室に着脱可能に収納され、当該収納室に装着された状態で外方端が前記収納室の開口端に位置する金庫と、
前記金庫が装着された状態で退避位置に保持され前記金庫が前記収納室から抜脱されるときの動作を利用して前記内方端と前記外部との間を隔離する隔離位置に移動する仕切部とを具備してなり、
前記仕切部は、前記収納室の前記開口端から前記収納室の内方端側へ所定距離離間した位置が前記隔離位置になるように配置されることを特徴とする現金処理装置。
【請求項２】
前記収納室の開口端部に、前記仕切部が前記隔離位置に移動したときに当該仕切部と係合して閉止音を生ずる係合部が設けられている請求項１に記載の現金処理装置。
【請求項３】
前記仕切部は、前記金庫を前記収納室へ挿入するときに前記金庫に付勢されて前記隔離位置から前記退避位置に移動する請求項１又は２に記載の現金処理装置。
【請求項４】
前記金庫および前記収納室を複数備え、これら複数の金庫のうち一部の金庫を抜脱した状態で稼働する無停止稼働タイプのものである請求項１〜３のいずれかに記載の現金処理装置。
【発明の詳細な説明】
【技術分野】
【０００１】
本発明は、金庫が収納室に対して着脱可能な現金処理装置に係り、特に金庫の抜脱時における収納室内部の状態を適正化した現金処理装置に関する。
【背景技術】
【０００２】
自動発券機や自動販売機等の現金処理装置は、現金を収納する金庫を有し、金庫に対して現金を入金又は出金するものであり、現金を搬送する搬送手段と、この搬送手段を通じて現金を搬送し、金庫への入金又は金庫からの出金を行う制御手段とを備える構成が通例である。
【０００３】
このような従来の現金処理装置として特許文献１には、金庫を着脱可能に収納する収納室を複数設けて、金種別に現金の補充または回収を可能としたものが開示されている。この種の現金処理装置は、金庫との間で現金の搬送を行うために収納室の内部に搬送ローラ等の搬送手段を配置している構成が通例であり、収納室から金庫を抜くと、収納室の内部にある搬送ローラ等の搬送手段が収納室の開口端を介して外部に開放された状態となる。
【先行技術文献】
【特許文献】
【０００４】
【特許文献１】特開２００６−１８７９８号公報
【発明の概要】
【発明が解決しようとする課題】
【０００５】
上記の現金処理装置では、収納室から金庫を抜いたときに、収納室の内部にある搬送ローラ等の搬送手段が収納室の開口端を介して外部に開放された状態となるため、埃や異物が搬送ローラ等の搬送手段や装置内部に進入し易く、搬送詰まりや作動不良、故障の要因となり製品品質を低下させてしまう。
【０００６】
特に、継続的に業務を行うため現金の回収または補給を目的として一部の金庫が抜かれても無停止で稼働する無停止補給または無停止回収を行うように構成すると、金庫が抜かれた状態で外部に開放された搬送ローラ等の搬送手段が駆動しており、この搬送手段に対して容易に接触可能であると安全性の観点からも好ましいものではない。
【０００７】
本発明は、このような課題に着目してなされたものであって、その目的は、金庫の装着又は抜脱、金庫の有無確認等の金庫に関する作業の作業性を損なうことなく、収納室の開口端を介して外部に開放された搬送ローラ等の搬送手段や装置内部に対して埃や異物が進入することを阻害し、搬送詰まりや作動不良、故障を低減して製品品質を向上させた現金処理装置を提供することである。
【課題を解決するための手段】
【０００８】
本発明は、かかる目的を達成するために、次のような手段を講じたものである。
【０００９】
すなわち、本発明に係る現金処理装置は、現金を搬送する搬送手段と、内方端が前記搬送手段の一部に臨む位置に設けられ当該搬送手段の一部を開口端を介して外部に開放する収納室と、前記収納室に着脱可能に収納され、当該収納室に装着された状態で外方端が前記収納室の開口端に位置する金庫と、前記金庫が装着された状態で退避位置に保持され前記金庫が前記収納室から抜脱されるときの動作を利用して前記内方端と前記外部との間を隔離する隔離位置に移動する仕切部とを具備してなり、前記仕切部は、前記収納室の前記開口端から前記収納室の内方端側へ所定距離離間した位置が前記隔離位置になるように配置されることを特徴とする。
【００１０】
この構成によれば、収納室から金庫が抜脱されるときに収納室の内方端と外部との間を隔離する隔離位置に仕切部が移動し搬送手段と外部とが隔離されるので、埃や異物が搬送ローラ等の搬送手段や装置内部に進入することを阻害し、搬送詰まりや作動不良、故障を低減して製品品質を向上させることができる。
【００１１】
また、前記仕切部は、前記収納室の開口端から前記収納室の内方端側へ所定距離離間した位置が前記隔離位置になるように配置されていることから、収納室から金庫が抜かれると開口端より内側へ所定距離離間した位置にある仕切部が視認できる一方、収納室に金庫が装着されていると金庫の外方端が視認でき、金庫が抜かれた収納室が凹んで見えるため、一目で金庫の有無を把握することができる。さらに、収納室の開口端部に金庫を仮置きすることができ、収納室の開口端部で挿入方向をガイドさせ金庫を挿入し易くすることができ、金庫に関する作業を円滑化することができる。
【００１２】
金庫が不意に抜けることを防止するためには、前記収納室の開口端部に、前記仕切部が前記隔離位置に移動したときに当該仕切部と係合して閉止音を生ずる係合部が設けられていることが望ましい。
【００１３】
金庫を収納室に円滑に装着するためには、前記仕切部は、前記金庫を前記収納室へ挿入するときに前記金庫に付勢されて前記隔離位置から前記退避位置に移動することが好ましい。
【００１４】
搬送手段への接触を阻害して注意を促し、安全性を向上させるためには、前記金庫および前記収納室を複数備え、これら複数の金庫のうち一部の金庫を抜脱した状態で稼働する無停止稼働タイプのものであることが好ましい。
【発明の効果】
【００１５】
本発明は、以上説明した構成であるから、収納室から金庫が抜脱されるときに収納室の内方端と外部との間を隔離する隔離位置に仕切部が移動し搬送手段と外部とが隔離されるので、埃などが搬送ローラ等の搬送手段や装置内部に進入することを阻害し、搬送詰まりや作動不良、故障を低減して製品品質を向上させることが可能となる。また、仕切部を配置する位置によって、金庫に関する作業を円滑化することが可能となる。
【図面の簡単な説明】
【００１６】
【図１】本発明の一実施形態に係る現金処理装置を示す概略全体構成図。
【図２】一部の金庫を抜き取った状態を示す図１に対応した図。
【図３】同実施形態における搬送手段および制御手段の構成および機能の概略を示すブロック図。
【図４】同実施形態における収納室の開口端側から視た現金処理装置を示す斜視図。
【図５】図４とは異なる視点から視た図４に対応する斜視図。
【図６】収納室から金庫を抜脱する際の動作を示す模式的断面図。
【図７】収納室に金庫を挿入する際の動作を示す模式的断面図。
【発明を実施するための形態】
【００１７】
以下、本発明の一実施形態に係る現金処理装置を、図面を参照して説明する。本実施形態では紙幣を取り扱う紙幣ブロックとしての現金処理装置を例に挙げて説明する。
【００１８】
図１に示す本実施形態の現金処理装置は、例えば乗車券やカード、精算切符等の券売を行う自動発券機として用いられるもので、紙幣ブロック１と、この紙幣ブロック１にセットされて紙幣の収納場所となる４つの金庫Ａ〜Ｄと、外部から投入される紙幣の金種を識別部２２で識別して金庫Ａ〜Ｄのうち対応する金庫に搬送経路２１を介して搬送する搬送手段２とを備えている。
【００１９】
紙幣ブロック１は、この現金処理装置を利用する利用者に近い側に挿入口１１、出金口１３、返却口１４（以下、出金口１３及び返却口１４を合わせて払出口１２ともいう）を設けたもので、同じく利用者に近い側に固定式の金庫Ｄを内設し、係員が操作を行う側に３つのカセット式の金庫Ａ〜Ｃを設けている。また、紙幣ブロック１には、金庫Ａ〜Ｃに対応して設けられこれら金庫Ａ〜Ｃへ識別部２２により真性であると識別された紙幣を収納する前に一次的に保留する一次保留部ａ１〜ｃ１、搬送経路２１上の紙幣（不良券を含む）を一時的に保留する一時保留部Ｅや出金保留部Ｆが設けられている。一時保留部Ｅとは別に、読み取り不能、金種相違、重送発生、異常検知時の不良券を回収する不良券回収部Ｇが設けられている。不良券回収部Ｇは、図１に示すように、係員が操作を行う側に扉部ｇ１が設けられており、係員がこの扉部ｇ１を通じて不良券回収部Ｇに貯留された不良券を回収することが可能にされている。
【００２０】
カセット式の金庫Ａ〜Ｃは、図２に例示するように把手ｈを把持して紙幣ブロック１から引き出すことが可能にされている。これら金庫Ａ〜Ｃと紙幣ブロック１との間には、必要に応じて電磁力等を利用して金庫Ａ〜Ｃを引き出し禁止状態にする図示しないロック機構が設けてあり、また、紙幣ブロック１又は金庫Ａ〜Ｃには、引き出し禁止状態か否かを表示して係員に了知させる図示しないＬＥＤ表示部が設けてある。
【００２１】
この実施形態では、図３に示すように、固定式の金庫Ｄを二千円札と五千円札を格納する混合金庫とし、金庫Ａに千円札、金庫Ｂに一万円札を格納する循環金庫とし、金庫Ｃを多用途に利用可能な自在金庫に設定して、現金の補給及び回収を目的として現金処理装置を停止させることなく運用する、いわゆる無停止補給、無停止回収を実現した金庫設定にしている。
【００２２】
図３に示すように、現金処理装置は、搬送手段２とこれを制御する制御手段３とを含んで構成されている。搬送手段２は、周知の現金処理装置と同様に、図示しない挾持ローラ、搬送ベルト、ウィング等の方向変換部などから構成される搬送経路２１と、搬送される現金たる紙幣の金種および真性（偽造か否か）を識別する識別部２２と、紙幣の金種識別のみを行い紙幣の真性までは識別しない簡易型の識別部２０とを有している。
【００２３】
制御手段３は、識別部２２或いは簡易型の識別部２０の識別結果等に基づいて搬送手段２を制御するものであり、挿入口１１から投入された紙幣を識別部２２に通過させた後、搬送経路２１に沿って流通させ、随所に設けた分岐部２６ａ〜２６ｇで必要に応じて紙幣を方向変換して、金庫Ａ、金庫Ｂ、金庫Ｃ、固定金庫Ｄ、一時保留部Ｅ、出金保留部Ｆ、払出口１２、不良券回収部Ｇ等へ搬送する動作を行うとともに、金庫Ａ〜Ｄ等から搬送経路２１上への紙幣の繰り出し動作、簡易型の識別部２０における金種識別、更には次なる搬送先である出金口１３や金庫Ａ〜Ｄへの搬送動作などを含む統括的な搬送制御を行うように構成されている。
【００２４】
上記で述べた搬送制御などを行う具体的な制御手段３は、図３に示すように、入出金制御部３１と、搬送制御部３２とを含んで構成されている。
【００２５】
入出金制御部３１は、利用者が操作する図示しない操作部、搬送手段２や各種センサからの信号に基づいて入出金に関する総括的な制御を行うものであり、取引に応じた紙幣の搬送指令を搬送制御部３２に対して行う。
【００２６】
搬送制御部３２は、入出金制御部３１からの紙幣の搬送指令に基づいて搬送手段２を駆動制御し、紙幣の搬送を行う。
【００２７】
このような制御手段３を実現する具体的な構成は、ＣＰＵ、メモリ及びインターフェイスを有する通常のマイクロコンピュータユニットにより構成され、メモリには図示しない搬送制御処理ルーチンや入出金制御処理ルーチン等が格納してあり、ＣＰＵが適宜必要なプログラムを呼び出して実行することにより、上記の入出金制御部３１および搬送制御部３２が実現される。これらの詳細な制御、例えば制御手段３は、紙幣を各金庫Ａ〜Ｃに収納する前に一時的に一旦これらの一次保留部ａ１、ｂ１、ｃ１に保留し、その後、搬送経路２１上に一旦繰り出した後に金庫Ａ〜Ｃに収納する制御を行うが、本実施形態においてこれらの具体的な構成や制御については省略している。また、各金庫Ａ〜Ｄに紙幣を装填し、或いは各金庫Ａ〜Ｄから紙幣を繰り出す際には、各金庫Ａ〜Ｄの一部または搬送経路２１の一部に設けた図示しない計数部によって紙幣の枚数が計数されるようにしている。
【００２８】
紙幣ブロック１には、図４に示すように、係員が操作を行う側へ開口する収納室５が３つ形成されている。具体的には、カセット式の金庫Ａを収納する収納室５ａ（５）、金庫Ｂを収納する収納室５ｂ（５）、金庫Ｃを収納する収納室５ｃ（５）の３つの収納室５が形成されている。これら収納室５に対して、金庫Ａは装着された状態で外方端Ａ１が収納室５ａの開口端ｏｐに位置し、金庫Ｂ，Ｃは装着された状態で外方端が収納室５ｂ、５ｃの開口端ｏｐに位置する。なお、図４は、金庫Ａが収納室５ａに収納され、金庫Ｂ及び金庫Ｃは抜脱された状態を示す。収納室５の内方端ｉｎは、図６（ａ）の断面図に示すように、搬送手段２の一部（例えば搬送ローラ２３ａ）に面して搬送手段２の一部に臨む位置に配置され、その搬送手段２の一部が収納室５から金庫Ａを抜いた状態で収納室５の開口端ｏｐを介して外部に開放されている。
【００２９】
収納室５には、図４〜図７に示すように、板状の仕切部６が設けられている。仕切部６が鉛直方向の軸を中心に回転可能となるように、仕切部６の基端６ａが図示しないヒンジ部を介して収納室５の側壁５２に支持されて、開閉する扉を成している。仕切部６は、ヒンジ部に設けられた図示しないねじりコイルバネにより開口端ｏｐ側へ付勢されている。仕切部６の幅寸法Ｗｗは、図６（ｂ）に示すように、収納室５の内部寸法にほぼ等しく、仕切部６の高さ寸法Ｗｈは、図４に示すように、仕切部６の下端６ｃと底壁５１との間に若干の隙間Ｓが形成される寸法に設けてある。
【００３０】
仕切部６を支持する側壁５２と対面する側壁５２には、図５に示すように、収納室５の内側に突出する係合部７が形成されている。この係合部７は、側壁５２の一部を内側に打ち抜いて形成したものであり、先端が内方端ｉｎに向かって切り起こされている。仕切部６が図示しないねじりコイルバネに付勢されると、係合部７と当接する位置まで仕切部６が移動する。この位置は、収納室５の内方端ｉｎと外部とを隔離する隔離位置ａｂｓである。仕切部６は係合部７とともにスチール等の金属板材を用いたものであるため、当接時に金属同士の接触により閉止音を生ずる。仕切部６は閉まった状態で収納室５の開口端ｏｐから内方端ｉｎ側へ所定距離Ｗ１離間した隔離位置ａｂｓに配置されている。
【００３１】
ここで、金庫Ａを例として収納室５ａ（５）から金庫Ａ〜Ｃを抜脱する際の動作について図６を用いて説明する。図６（ａ）に示すように、金庫Ａが収納室５に装着された状態では仕切部６が退避位置ｅｓｃに保持されている。収納室５の内方端ｉｎに臨む位置には搬送ローラ２３ａ（搬送手段２の一部）と、この搬送ローラ２３ａと共に回転する内方ギア２３ｃが設けられており、金庫Ａの内方端には補助ローラ２３ｂと、この補助ローラ２３ｂに回転力を伝達する伝達ギア２３ｄとが設けられており、この内方ギア２３ｃと伝達ギア２３ｄとが噛み合って、内方ギア２３ｃの回転動力を補助ローラ２３ｂに伝達して補助ローラ２３ｂを回転させ、搬送ローラ２３ａ及び補助ローラ２３ｂを回転させることにより搬送手段２と金庫Ａとの間で現金を搬送し、金庫Ａへの入金又は金庫Ａからの出金を可能としている。次に、図６（ｂ）に示すように、金庫Ａを収納室５から抜脱すると、仕切部６はヒンジ部のねじりコイルバネにより開口端ｏｐ側へ付勢されているので係合部７と仕切部６とが当接する位置、すなわち収納室５の内方端ｉｎと外部との間を隔離する隔離位置ａｂｓへ仕切部６が移動する。その際、仕切部６の他端６ｂと係合部７とが係合して閉止音を生じる。
【００３２】
次に、収納室５ａ（５）に金庫Ａを装着する際の動作について図７を用いて説明する。図７（ａ）に示すように、金庫Ａが抜かれた状態では、仕切部６が収納室５の開口端ｏｐから所定距離Ｗ１離間した位置に配置されているので、金庫Ａが抜かれた収納室５は金庫Ａが装着された状態の収納室５に比べ、収納室５の開口端ｏｐ側から視て凹んだ状態に見えている。この凹んで見える開口端部の底壁５１に金庫Ａを仮置きし、この開口端部の底壁５１や側壁５２で挿入方向をガイドさせながら収納室５に金庫Ａを挿入すると、図７（ｂ）に示すように、仕切部６が金庫Ａに付勢されて隔離位置ａｂｓから退避位置ｅｓｃへ移動する。
【００３３】
以上のように、本実施形態に係る現金処理装置は、現金を搬送する搬送手段２と、内方端ｉｎが搬送手段２の一部に臨む位置に設けられ搬送手段２の一部を開口端ｏｐを介して外部に開放する収納室５と、収納室５に着脱可能に収納される金庫Ａ〜Ｃと、金庫Ａ〜Ｃが装着された状態で退避位置ｅｓｃに保持され金庫Ａ〜Ｃが収納室５から抜脱されるときの動作を利用して内方端ｉｎと外部との間を隔離する隔離位置ａｂｓに移動する仕切部６とを具備してなることを特徴とする。
【００３４】
この構成によれば、収納室５から金庫Ａ〜Ｃが抜脱されるときに収納室５の内方端ｉｎと外部との間を隔離する隔離位置ａｂｓに仕切部６が移動し搬送手段２と外部とが隔離されるので、埃などが搬送ローラ等の搬送手段や装置内部に進入することを阻害し、搬送詰まりや作動不良、故障を低減して製品品質を向上させることができる。
【００３５】
本実施形態では、仕切部６は、収納室５の開口端ｏｐから収納室５の内方端ｉｎ側へ所定距離Ｗ１離間した位置が隔離位置ａｂｓになるように配置されているので、例えば図５に示すように、収納室５から金庫Ｂ、Ｃが抜かれると開口端ｏｐより内側へ所定距離Ｗ１離間した位置にある仕切部６が視認できる一方、収納室５に金庫Ａが装着されていると金庫Ａの外方端Ａ１が視認でき、金庫Ｂ、Ｃが抜かれた収納室５が凹んで見えるため、一目で金庫の有無を把握することができる。さらに、収納室５の開口端部に金庫Ａ〜Ｃを仮置きすることができ、収納室５の開口端部で挿入方向をガイドさせ金庫Ａ〜Ｃを挿入し易くすることができ、金庫Ａ〜Ｃに関する作業を円滑化することができる。
【００３６】
また、金庫は重量があり不意に収納室５から抜けると好ましくないが、本実施形態では、収納室５の開口端部に、仕切部６が隔離位置ａｂｓに移動したときに仕切部６と係合して閉止音を生ずる係合部７が設けられているので、金庫Ａ〜Ｃが収納室５から抜ける直前であること係員等の外部へ閉止音を通じて報知し、金庫Ａ〜Ｃが不意に抜けることを防止することができる。
【００３７】
さらに、本実施形態では、仕切部６は、金庫Ａ〜Ｃを収納室５へ挿入するときに金庫Ａ〜Ｃに付勢されて隔離位置ａｂｓから退避位置ｅｓｃに移動するので、金庫Ａ〜Ｃを挿入する動作に併せて仕切部６が隔離位置ａｂｓから退避し、仕切部６を退避させる作業を別途に行うことなく金庫Ａ〜Ｃを収納室５に円滑に装着することができる。
【００３８】
さらにまた、本実施形態では、金庫Ａ〜Ｃおよび収納室５（５ａ、５ｂ、５ｃ）を複数備え、これら複数の金庫Ａ〜Ｃのうち一部の金庫を抜脱した状態で稼働する無停止稼働タイプの現金処理装置であり、駆動している搬送ローラ２３等の搬送手段２と外部とが仕切部６によって隔離されるので、搬送手段２への接触を阻害して注意を促して、安全性を向上させることができる。
【００３９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４０】
例えば、本実施形態では、仕切部６を一枚扉にしているが、二枚扉等の複数枚扉にしてもよく、仕切部６を中央から左右両側に対称に開く観音開きにしてもよい。本実施形態では、仕切部６を側壁５２側へ開くようにヒンジ部を設けているが、仕切部６を天井側や底壁５１側へ開くようにヒンジ部を設けてもよい。
【００４１】
また、本実施形態では、金庫Ａ〜Ｃに対して入金および出金の双方を行う現金処理装置であるが、金庫への入金および金庫からの出金のいずれかのみを行う装置であっても本発明を適用することが可能である。
【００４２】
さらに、本実施形態では、金属同士の接触により機械的に閉止音を生ずるようにしているが、仕切部６と接触するスイッチを設けて、このスイッチのオン若しくはオフによりスピーカから警告音を出力する等、電気的に閉止音を発生させてもよい。
【００４３】
さらにまた、金庫Ａ〜Ｄに格納する金種は本実施形態に限定されるものではなく、金庫Ａ〜Ｄはどの金種を格納することも可能であり、例えば金庫Ａ〜Ｄに対して各金種を割り当てて金庫Ａ〜Ｄを四金種循環金庫としてもよい。このような様々な金庫の設定に対しても本発明を適用することが可能である。
【００４４】
加えて、本実施形態では、紙幣と硬貨とを含む現金のうち、紙幣を取り扱う紙幣ブロックとしての現金処理装置を例に挙げて説明したが、硬貨を取り扱う硬貨ブロックに対しても本発明を適用することが可能である。
【００４５】
その他、各部の具体的な構成は、上述した実施形態のみに限定されるものではなく、本発明の趣旨を逸脱しない範囲で種々変形が可能である。
【符号の説明】
【００４６】
１………紙幣ブロック
Ａ〜Ｃ…金庫
２………搬送手段
５………収納室
５ａ、５ｂ、５ｃ…収納室
６………仕切部
７………係合部
ｉｎ……内方端
ｏｐ……開口端
ａｂｓ…隔離位置
ｅｓｃ…退避位置
Ａ１…外方端
【図１】
0005589325.tif 000002
【図２】
0005589325.tif 000003
【図３】
0005589325.tif 000004
【図４】
0005589325.tif 000005
【図５】
0005589325.tif 000006
【図６】
0005589325.tif 000007
【図７】
0005589325.tif 000008